(57)【要約】【課題】施工を容易とする蟻返し気密材、蟻返し気密材が用いられる基礎構造を提供する。【解決手段】基礎１の上面と土台２の下面との間に介在される気密材５と、気密材５に埋設される埋設部６１と、埋設部６１から連設されて気密材５から側方に突出し基礎１の外面に設けられる基礎断熱材３の上面を覆う蟻返し部６２と、を有する蟻返し部材６と、が一体に形成される。【選択図】図１
2015017471.tif 000002
【特許請求の範囲】
【請求項１】
基礎の上面と土台の下面との間に介在される気密材と、
前記気密材に埋設される埋設部と、前記埋設部から連設されて前記気密材から側方に突出し前記基礎の外面に設けられる基礎断熱材の上面を覆う蟻返し部と、を有する蟻返し部材と、
が一体に形成されることを特徴とする蟻返し気密材。
【請求項２】
前記蟻返し部は、前記基礎断熱材の上端部の外面を押さえる外押さえ部と、前記上端部の内面を押さえ前記基礎の前記外面に当接する内押さえ部と、を有することを特徴とする請求項１記載の蟻返し気密材。
【請求項３】
前記気密材は、その上面と下面の一方または両方に、前記基礎の前記上面と前記土台の前記下面との間に形成される不陸を吸収する不陸吸収部を備えることを特徴とする請求項１または２記載の蟻返し気密材。
【請求項４】
請求項１乃至請求項３のいずれか一項に記載の蟻返し気密材が用いられる基礎構造であって、
前記基礎と、
前記基礎の外面に設けられる基礎断熱材と、
前記基礎の前記上面に載置され前記基礎断熱材の前記上面を覆う前記蟻返し気密材と、
前記蟻返し気密材の上面に載置される前記土台と、
を備えることを特徴とする蟻返し気密材が用いられる基礎構造。
【請求項５】
前記基礎断熱材の外面および下面を覆う覆い部と、前記覆い部から連設されて前記基礎の外面に固定される固定部と、を有する蟻返し面部材と、
を備えることを特徴とする請求項４記載の蟻返し気密材が用いられる基礎構造。
【発明の詳細な説明】
【技術分野】
【０００１】
本発明は、蟻返し気密材、蟻返し気密材が用いられる基礎構造に関するものである。
【背景技術】
【０００２】
従来より、図４に示すように、外面に基礎断熱材３が設けられる基礎１において、基礎の上面に気密材５０（基礎パッキン）を介して載置される土台２を、シロアリが食い荒らすという被害が問題となっている。シロアリは、光を嫌う習性を有しており、また、基礎断熱材３を食い進むことができる。基礎１の外面に基礎断熱材３が設けられていない場合、地中に生息するシロアリが土台２に到達するには基礎１の外面を這う必要があり、この時シロアリが光に晒されるため、シロアリは土台に到達し難い。これに対して、基礎１の外面に基礎断熱材３が設けられている場合、シロアリは、基礎断熱材３の内部を食い進んで光に晒されることなく土台２に到達可能となり、土台２に到達し易いものである。このため、基礎１の外面に基礎断熱材３が設けられる場合、シロアリが土台２に到達しないように、基礎断熱材３と土台２との間に蟻返し６０が設けられていた。なお、図中の符号９１は柱を、９２は大引を、９３は根太を、９４は床材を、９５は防水シートを、９６は縦胴縁を、９７は外装材を、９８は水切りを示す。
【先行技術文献】
【特許文献】
【０００３】
【特許文献１】特開２０００−２０４６８５号公報
【発明の概要】
【発明が解決しようとする課題】
【０００４】
しかしながら、蟻返し６０が設けられる場合、気密材５０と蟻返し６０の両方が別々に基礎１に設けられることとなり、施工が面倒なものであった。
【０００５】
本発明は上記従来の問題点に鑑みて発明したものであって、その目的とするところは、施工を容易とする蟻返し気密材、蟻返し気密材が用いられる基礎構造を提供することを課題とするものである。
【課題を解決するための手段】
【０００６】
上記課題を解決するために、本発明の蟻返し気密材は、基礎の上面と土台の下面との間に介在される気密材と、前記気密材に埋設される埋設部と、前記埋設部から連設されて前記気密材から側方に突出し前記基礎の外面に設けられる基礎断熱材の上面を覆う蟻返し部と、を有する蟻返し部材と、が一体に形成されることを特徴とする。
【０００７】
また、前記蟻返し部は、前記基礎断熱材の上端部の外面を押さえる外押さえ部と、前記上端部の内面を押さえ前記基礎の前記外面に当接する内押さえ部と、を有することが好ましい。
【０００８】
また、前記気密材は、その上面と下面の一方または両方に、前記基礎の前記上面と前記土台の前記下面との間に形成される不陸を吸収する不陸吸収部を備えることが好ましい。
【０００９】
また、本発明の蟻返し気密材が用いられる基礎構造は、上記のいずれかに記載の蟻返し気密材が用いられる基礎構造であって、前記基礎と、前記基礎の外面に設けられる基礎断熱材と、前記基礎の前記上面に載置され前記基礎断熱材の前記上面を覆う前記蟻返し気密材と、前記蟻返し気密材の上面に載置される前記土台と、を備えることを特徴とする。
【００１０】
また、前記基礎断熱材の外面および下面を覆う覆い部と、前記覆い部から連設されて前記基礎の外面に固定される固定部と、を有する蟻返し面部材と、を備えることが好ましい。
【発明の効果】
【００１１】
本発明にあっては、施工にあたり、別体の気密材と蟻返しを別々に施工する必要がなく、蟻返し気密材のみを施工すればよく、施工が容易となる。
【図面の簡単な説明】
【００１２】
【図１】本発明の一実施形態の側断面を有する要部を斜め上方より見た斜視図である。
【図２】同上の実施形態における側断面を有する一部分解された要部を斜め上方より見た斜視図である。
【図３】他の実施形態の側断面を有する要部を斜め上方より見た斜視図である。
【図４】従来の基礎構造の要部側断面図である。
【発明を実施するための形態】
【００１３】
本発明の蟻返し気密材４は、基礎１の上面と土台２の下面との間に介在される気密材５と、気密材５に埋設される埋設部６１と、埋設部６１から連設されて気密材５から側方に突出し基礎１の外面に設けられる基礎断熱材３の上面を覆う蟻返し部６２と、を有する蟻返し部材６と、が一体に形成されることを特徴とする。
【００１４】
また、蟻返し部６２は、基礎断熱材３の上端部の外面を押さえる外押さえ部６３と、上端部の内面を押さえ基礎１の前記外面に当接する内押さえ部６４と、を有することが好ましい。
【００１５】
また、気密材５は、その上面と下面の一方または両方に、基礎１の前記上面と土台２の前記下面との間に形成される不陸を吸収する不陸吸収部７を備えることが好ましい。
【００１６】
また、本発明の蟻返し気密材４が用いられる基礎構造は、上記のいずれかに記載の蟻返し気密材４が用いられる基礎構造であって、基礎１と、基礎１の外面に設けられる基礎断熱材３と、基礎１の前記上面に載置され基礎断熱材３の前記上面を覆う蟻返し気密材４と、蟻返し気密材４の上面に載置される土台２と、を備えることを特徴とする。
【００１７】
また、基礎断熱材３の外面および下面を覆う覆い部８１と、覆い部８１から連設されて基礎１の外面に固定される固定部８２とを、を有する蟻返し面部材８と、を備えることが好ましい。
【００１８】
以下、本発明の蟻返し気密材４および蟻返し気密材４が用いられる基礎構造の一実施形態について図１および図２に基いて説明する。
【００１９】
図１に示すように、基礎１は、べた基礎、布基礎のいずれでもよく、限定されない。なお、布基礎の場合には、布基礎の建物内方側にコンクリートが敷設されるのが好ましい。基礎１の立上り部の上面には、蟻返し気密材４を介して土台２の下面が載置される。土台２は、基礎１に埋設されて上端部が基礎１の上面に立設されるアンカーボルト（不図示）により位置決めされて、基礎１に固定される。
【００２０】
蟻返し気密材４は、図１に示すように、気密材５と、蟻返し部材６と、を有するものである。気密材５は、基礎１の上面と土台２の下面との間に介在されるもので、蟻返し部材６の埋設部６１が埋設される点を除いて従来の気密材５０と同様のものである。気密材５としては、例えばポリオレフィン系の材料が好適に用いられるが、特に限定されない。
【００２１】
また、本実施形態では図１に示すように、気密材５は、その上面と下面に、基礎１の上面の不陸により基礎１と土台２との間に形成される間隔のばらつきを吸収する不陸吸収部７を一体に備えている。不陸吸収部７としては、例えばエプトシーラーからなる材料が好適に用いられるが、特に限定されない。なお、本実施形態では不陸吸収部７が気密材５の上面と下面の両方に設けられているが、不陸吸収部７は気密材５の上面と下面のいずれか一方にのみ設けられてもよいし、また、設けられなくてもよく、任意の構成である。
【００２２】
蟻返し部材６は、埋設部６１と、蟻返し部６２と、を有するものである。本実施形態では図１に示すように、埋設部６１は、平板状をしたもので、その一端が気密材５の内部に埋設され、他端が気密材５の表面に位置している。そして、埋設部６１の他端から蟻返し部６２が設けられている。
【００２３】
蟻返し部６２は、埋設部６１の他端から連設されて、気密材５から側方（建物の外方）に突出し、基礎断熱材３の上面を覆うものである。蟻返し部６２は、シロアリが食い進むことのできない材料にて形成されるもので、例えば所謂ステンレス（ＳＵＳ）をはじめとする各種金属が好適に用いられるが、他の材料でもよく特に限定されない。本実施形態では図１に示すように、蟻返し部６２は、平板状をした埋設部６１と連続する平板状をした例えば所謂ステンレス等の金属により形成される。また、蟻返し部６２には、基礎断熱材３の上端部が固定されるための固着具挿通孔６５が形成される。
【００２４】
また、本実施形態では図１に示すように、蟻返し部６２は、基礎断熱材３の上端部の外面を押さえる外押さえ部６３と、上端部の内面を押さえ基礎１の外面に当接する内押さえ部６４と、を有するものである。
【００２５】
本実施形態では、蟻返し部材６は、例えば所謂ステンレス等の金属により、埋設部６１、蟻返し部６２、外押さえ部６３、内押さえ部６４が一体に形成されている。なお、本実施形態では外押さえ部６３と内押さえ部６４とを有しているが、これらは任意の構成である。
【００２６】
上述した気密材５と蟻返し部材６は、埋設部６１が気密材５に埋設されることで一体となり、蟻返し気密材４が形成される。また、本実施形態のように不陸吸収部７を備える場合には、不陸吸収部７も一体に形成される。
【００２７】
本実施形態の上述した蟻返し気密材４が用いられる基礎構造においては、更に、蟻返し面部材８が用いられる。蟻返し面部材８は、基礎断熱材３を覆う覆い部８１と、基礎１の外面に固定される固定部８２とを、を有するものである。
【００２８】
覆い部８１は、本実施形態では図１に示すように、基礎断熱材３の外面および下面を覆う側面視Ｌ字状をした板状の部材である。そして、覆い部８１の基礎１の外面に位置する部分から、板状をした固定部８２が連設されている。固定部８２には、基礎１の外面に固定されるための固着具挿通孔８３が形成される。
【００２９】
以下に、上述した蟻返し気密材４が用いられる基礎構造の施工について図２に基いて説明する。
【００３０】
（１）上面にアンカーボルトが立設された基礎１が形成される。
【００３１】
（２）蟻返し気密材４を介して土台２が基礎１の上面に載置される。これにあたっては、蟻返し気密材４および土台２の内部にアンカーボルトが挿通される。内押さえ部６４は、基礎１の外面に当接し、内押さえ部６４と基礎１との間を通ってシロアリが基礎１の上面の土台２側に侵入するのが阻止し易くなる。
【００３２】
（３）基礎断熱材３の上端部が、下方より、外押さえ部６３と内押さえ部６４との間に挿入される。ここで、基礎断熱材３の上端部の内押さえ部６４に対応する部分に、内押さえ部６４を収容する切欠（図２参照）が形成されているのが好ましいが、特に切欠が形成されていなくてもよい。そして、蟻返し部６２に形成された固着具挿通孔６５に固着具（不図示）が挿通され、基礎断熱材３の上端部にねじ込まれ、基礎断熱材３が蟻返し部材６に固定される。
【００３３】
（４）基礎断熱材３の外面にコーキング材３０が塗布される。
【００３４】
（５）蟻返し面部材８の覆い部８１の上端部８４が、基礎断熱材３の上端部と外押さえ部６３との間に下方より挿入される。そして、固定部８２に形成された固着具挿通孔８３に固着具（不図示）が挿通され、基礎１の外面にねじ込まれ、蟻返し面部材８が基礎１に固定され、施工が完了する。
なお、柱、大引、根太、床材、防水シート、縦胴縁、外装材、水切り等は、図４に示す従来例と同様に設けられてもよいし、これとは異なる構成が設けられてもよい。
【００３５】
基礎構造に上述した蟻返し気密材４が用いられる場合、作業者は、気密材５と蟻返し部６２を別々に設ける必要がない。作業者は気密材５と蟻返し部６２とが一体に形成された蟻返し気密材４を基礎１に設けるだけでよく、気密材５と蟻返し部６２とを基礎１に設けるための施工が容易となるものである。また、蟻返し面部材８が用いられることで、現場にてモルタル等が塗布される工程が不要となり、現場での施工性が一層向上するものである。
【００３６】
次に、他の実施形態について図３に基いて説明する。なお、図３に示す実施形態は、図１および図２に示す上記実施形態と大部分において同じであるため、同じ構成については同符号を付して説明を省略し、異なる部分について説明する。
【００３７】
本実施形態においては、蟻返し面部材８が用いられないものである。代わりに、基礎断熱材３の外面には、モルタル３１が塗布される。また、本実施形態では、蟻返し部６２に固着具挿通孔６５が形成されておらず、固着具が用いられない。
【００３８】
基礎構造の施工について説明すると、（１）（２）の工程については上記実施形態と同様である。
【００３９】
（３）の工程については、基礎断熱材３の上端部が、蟻返し部６２の下方より、外押さえ部６３と内押さえ部６４との間に挿入され、基礎断熱材３の下端部は、地面に載置されたり基礎１に固定される別部材（不図示）により支持される。
【００４０】
（４）（５）の工程がなく、代わりに、基礎断熱材３の外面にモルタル３１が塗布され、施工が完了する。
【００４１】
本実施形態の場合には、現場にてモルタル３１が塗布される工程が必要となるが、蟻返し面部材８が不要となる。
【符号の説明】
【００４２】
１    基礎
２    土台
３    基礎断熱材
３０  コーキング材
３１  モルタル
４    蟻返し気密材
５    気密材
６    蟻返し部材
６１  埋設部
６２  蟻返し部
６３  外押さえ部
６４  内押さえ部
６５  固着具挿通孔
７    不陸吸収部
８    蟻返し面部材
８１  覆い部
８２  固定部
８３  固着具挿通孔
８４  上端部
【図１】
2015017471.tif 000003
【図２】
2015017471.tif 000004
【図３】
2015017471.tif 000005
【図４】
2015017471.tif 000006